(57)【要約】【課題】リフレクタの外へ漏れ出た光が吹出口から照射されるのを確実に防止して、髪乾燥時のユーザーに眩しさを感じさせることがないドライヤーを提供する。【解決手段】本体ケース１に形成される導風路９の内部に、送風ファン３と、発光体２８と、発光体２８から照射された光を吹出口１１の側へ向かって反射案内するリフレクタ２９とが配置されている。リフレクタ２９と吹出口１１の間の光照射経路には、発光体２８から照射された光のうち可視光の透過を阻むフィルタ３０が配置されている。リフレクタ２９の後部および前部には、送風ファン３から送給された乾燥風の通過を許す第１通気口４８および第２通気口４２が開口されている。リフレクタ２９の前部に形成した第２通気口４２の外面に、第２通気口４２から漏れ出る光を遮蔽する防眩体７５が設けられている。【選択図】図１
2020054495.tif 000002
【特許請求の範囲】
【請求項１】
本体ケース（１）に形成される導風路（９）の内部に、乾燥風を吹出口（１１）へ向かって送給する送風ファン（３）と、加熱源となる発光体（２８）と、発光体（２８）から照射された光を吹出口（１１）の側へ向かって反射案内するリフレクタ（２９）とが配置されており、
リフレクタ（２９）と吹出口（１１）の間の光照射経路には、発光体（２８）から照射された光のうち可視光の透過を阻むフィルタ（３０）が配置されており、
リフレクタ（２９）の後部には第１通気口（４８）が開口され、リフレクタ（２９）の前部には第２通気口（４２）が開口されており、これら第１通気口（４８）と第２通気口（４２）を介してリフレクタ（２９）の内部が換気されるようになっており、
第２通気口（４２）の外面に、第２通気口（４２）から漏れ出る光を遮蔽する防眩体（７５）が設けられていることを特徴とするドライヤー。
【請求項２】
防眩体（７５）が第２通気口（４２）の開口外面を覆う筒状に形成されており、
防眩体（７５）の筒壁後端が第２通気口（４２）の後開口縁より後方へ突設されている請求項１に記載のドライヤー。
【請求項３】
第２通気口（４２）がリフレクタ（２９）の前部に周回状に形成されており、
第２通気口（４２）の開口外面が筒状の防眩体（７５）で覆われている請求項１、または２に記載のドライヤー。
【請求項４】
リフレクタ（２９）が前リフレクタ（３７）と後リフレクタ（３８）を接合して構成されており、
フィルタ（３０）が前リフレクタ（３７）の前部に配置されて、フィルタ支持構造（５９）で前リフレクタ（３７）に固定されており、
フィルタ支持構造（５９）が、前リフレクタ（３７）の前端内面に形成したフィルタ受座（４１）と、前リフレクタ（３７）の前部周面に外嵌固定されてフィルタ受座（４１）と協同してフィルタ（３０）を挟持固定する押えリング（６０）とを備えている請求項１から３のいずれかひとつに記載のドライヤー。
【請求項５】
押えリング（６０）と一体にリング状の防眩体（７５）が形成されている請求項４に記載のドライヤー。
【請求項６】
送風ファン（３）から送給された乾燥風が、第１通気口（４８）からリフレクタ（２９）の内部に導入されて第２通気口（４２）から送出されるようになっており、
防眩体（７５）と第２通気口（４２）の間に、乾燥風の通過を許す通気通路（７６）が第２通気口（４２）に連続する状態で横臥Ｌ字状に形成されており、
通気通路（７６）の前端は、防眩体（７５）の内面に接当する通路端壁（７７）で塞がれており、
防眩体（７５）と通路端壁（７７）で挟まれる内隅部分に、乾燥風を後向きに反転案内する後反転案内面（７８）が形成されている請求項１から５のいずれかひとつに記載のドライヤー。
【請求項７】
防眩体（７５）の後端部に、通気通路（７６）から流出する乾燥空気を前向きに反転案内する前反転案内面（７９）が形成されている請求項１から６のいずれかひとつに記載のドライヤー。
【請求項８】
前リフレクタ（３７）が、分割形成された一対の半割体（３７ａ・３７ｂ）を接合して構成されており、
防眩体（７５）とフィルタ支持構造（５９）とが、一対の半割体（３７ａ・３７ｂ）と一体に形成されている請求項４から７のいずれかひとつに記載のドライヤー。
【請求項９】
導風路（９）に臨む前リフレクタ（３７）の周面に、前リフレクタ（３７）の周囲を囲む導風路（９）の通路断面積を小さくする絞り部（１０４）が膨出形成されている請求項４から８のいずれかひとつに記載のドライヤー。
【請求項１０】
絞り部（１０４）の外郭面が防眩体（７５）の周面を通る仮想外郭面と面一か、仮想外郭面より内側に位置されている請求項９に記載のドライヤー。
【請求項１１】
導風路（９）に臨み、前リフレクタ（３７）の周面に連続する絞り部（１０４）の前端面（１０５）が、本体ケース（１）の中心軸線（Ｐ）に対して所定角度（α）だけ後傾されている請求項９、または１０に記載のドライヤー。
【請求項１２】
防眩体（７５）の後端部に設けた前反転案内面（７９）の周囲に、前反転案内面（７９）の周囲を囲む導風路（９）の通路断面積を小さくする負圧形成構造（１０６）が設けられている請求項７、または８に記載のドライヤー。
【請求項１３】
負圧形成構造（１０６）が多孔体で形成されて、美容成分が負圧形成構造（１０６）に含浸保持されている請求項１２に記載のドライヤー。
【請求項１４】
負圧形成構造（１０６）が、内面に絞り面（１０７）を備えた絞りリング（１１２）で形成されて、導風路（９）の周囲を囲む風導筒（７）に固定されている請求項１２、または１３に記載のドライヤー。
【請求項１５】
負圧形成構造が、内外二重の内筒（１０９）および外筒（１１０）を備えたベンチュリー筒（１０８）で構成されて、外筒（１１０）が導風路（９）の周囲を囲む風導筒（７）に固定されており、
内筒（１０９）と外筒（１１０）の間に、前すぼまりリング状の絞り通路（１１１）が形成されている請求項１２、または１３に記載のドライヤー。
【請求項１６】
前リフレクタ（３７）が金属材で形成されており、前リフレクタ（３７）の前端内面に形成したフィルタ受座（４１）が、フィルタ（３０）の周面および後周縁に密着されている請求項４記載のドライヤー。
【請求項１７】
送風ファン（３）から送給された乾燥風が、第２通気口（４２）からリフレクタ（２９）の内部に導入されて第１通気口（４８）から送出されており、
第２通気口（４２）の外面を囲む防眩体（７５）が、リフレクタ（２９）の周囲を流動する乾燥風を第２通気口（４２）に向かって反転案内する導風体（１１５）を兼ねている請求項１から３のいずれかひとつに記載のドライヤー。
【請求項１８】
第１通気口（４８）が発光体（２８）の周囲を囲む状態でリング状に形成されており、
第１通気口（４８）の後外面に、第１通気口（４８）の全体を覆う邪魔板（１１６）が配置されて、送風ファン（３）から送給された乾燥風の一部が第１通気口（４８）からリフレクタ（２９）の内部に流入するのを邪魔板（１１６）で防いでいる請求項１７に記載のドライヤー。
【請求項１９】
リフレクタ（２９）が前リフレクタ（３７）と後リフレクタ（３８）とを接合して構成されており、
前リフレクタ（３７）と後リフレクタ（３８）の接合面に、互いに凹凸係合して接合相手のずれ動きを規制する前係合部（５１）と後係合部（５４）とが形成されている請求項１から３のいずれかひとつに記載のドライヤー。
【請求項２０】
前係合部（５１）と後係合部（５４）のいずれか一方に挿通したビス（５６）を、他方に設けたねじボス（５５）にねじ込んで、前リフレクタ（３７）と後リフレクタ（３８）とが分離不能に固定されている請求項１９に記載のドライヤー。
【請求項２１】
前リフレクタ（３７）が、分割形成された一対の半割体（３７ａ・３７ｂ）を接合して構成されており、
後リフレクタ（３８）の接合面には、前リフレクタ（３７）の後縁を嵌合支持する接合溝（５２）と、前リフレクタ（３７）の後縁周面を支持する接合壁（５３）が形成されており、
接合壁（５３）の複数個所には、接合壁（５３）を切欠いて形成される凹状の後係合部（５４）とねじボス（５５）が形成されており、
半割体（３７ａ・３７ｂ）の接合面の複数個所には、後係合部（５４）に落ち込み係合する突起からなる前係合部（５１）が形成されており、
一対の半割体（３７ａ・３７ｂ）を接合し、前係合部（５１）と後係合部（５４）を凹凸係合させた状態で、前係合部（５１）に挿通したビス（５６）を後係合部（５４）のねじボス（５５）にねじ込んで、前リフレクタ（３７）と後リフレクタ（３８）とが一体化されている請求項１９、または２０に記載のドライヤー。
【請求項２２】
フィルタ（３０）が前リフレクタ（３７）の前部に配置されて、フィルタ支持構造（５９）で前リフレクタ（３７）に固定されており、
フィルタ支持構造（５９）が、前リフレクタ（３７）の前端内面に形成したフィルタ受座（４１）と、前リフレクタ（３７）の前部周面に外嵌固定されて、フィルタ受座（４１）と協同してフィルタ（３０）を挟持固定する押えリング（６０）とを備えている請求項１９から２１のいずれかひとつに記載のドライヤー。
【請求項２３】
リフレクタ（２９）の後部に、発光体（２８）を支持する光源支持構造が設けられており、
光源支持構造は、発光体（２８）を支持する光源台（４５）と、光源台（４５）の周囲を囲み後端が開口する筒状の導風壁（４６）とを備えており、
光源台（４５）に固定したソケット（３４）に発光体（２８）のハウジング（３２）を装着して、発光体（２８）が光源台（４５）で支持されており、
導風壁（４６）と発光体（２８）の間の光源冷却通路が、第１通気口（４８）に連通されている請求項１に記載のドライヤー。
【請求項２４】
発光体（２８）用のソケット（３４）が複数のビス（４７）で光源台（４５）に締結固定されており、
発光体（２８）のプラグ（３３）がソケット（３４）に差込み装着されている請求項２３に記載のドライヤー。
【請求項２５】
発光体（２８）、リフレクタ（２９）、およびフィルタ（３０）が１個の熱源ユニット（４）としてユニット部品化されており、
導風路（９）の周囲を囲む風導筒（７）に、熱源ユニット（４）を支持するリング状のばね受枠（６４）が固定されており、
リフレクタ（２９）とばね受枠（６４）の対向面の複数個所に、熱源ユニット（４）を支持する衝撃吸収ばね（６５）を配置して、熱源ユニット（４）が本体ケース（１）に対して浮動支持されている請求項２３、または２４に記載のドライヤー。
【請求項２６】
リフレクタ（２９）に、発光体（２８）から照射された光をフィルタ（３０）へ向かって前向きに反射案内する第１反射面（３９）と、第１反射面（３９）に隣接配置されて、発光体（２８）から照射された光を後向きに反射案内する第２反射面（４０）と、第２反射面（４０）に隣接配置されて、発光体（２８）から照射された光および第２反射面（４０）で反射案内された光を、フィルタ（３０）へ向かって前向きに反射案内する第３反射面（４３）とが設けられており、
前後に長い発光体（２８）の発光部（３６）が、第２反射面（４０）と第３反射面（４３）の隣接部分に臨んでいる請求項２３から２５のいずれかひとつに記載のドライヤー。
【請求項２７】
第１反射面（３９）と、第２反射面（４０）と、第３反射面（４３）を備えたリフレクタ（２９）の前後寸法が、リフレクタ（２９）の径方向寸法より大きく設定されている請求項２６に記載のドライヤー。
【請求項２８】
リフレクタ（２９）の前部開口にフィルタ（３０）が配置されている請求項２３から２７のいずれかひとつに記載のドライヤー。
【発明の詳細な説明】
【技術分野】
【０００１】
本発明は、赤外線を利用して毛髪などの乾燥を行うドライヤーに関する。
【背景技術】
【０００２】
この種のドライヤーは例えば特許文献１に開示されている。特許文献１に記載のドライヤーは、円筒状の本体部（本体ケース）の内部に、ファン（送風ファン）と、熱線性光源（発光体）と、熱線性光源の周囲を覆う反射体（リフレクタ）と、反射体の開口面を塞ぐフィルタ（光学フィルタ）などを備える。熱線性光源は、ハロゲンランプ、白熱ランプ、キセノンランプ、メタルハライドランプなどで構成される。反射体の開口面にフィルタを設けることにより、熱線性光源から照射された光（電磁波）のうち可視光の殆どを遮断して、髪を加熱する赤外光を透過させることができる。
【先行技術文献】
【特許文献】
【０００３】
【特許文献１】国際公開第２０１６／０７２０３１号
【発明の概要】
【発明が解決しようとする課題】
【０００４】
特許文献１のドライヤーによれば、従来のニクロム線ヒーターを熱源とするドライヤーに比べて消費電力を低減できる。また、熱線性光源から照射されてフィルタを通過する光のうち、可視光の殆どをフィルタで遮断するので、髪乾燥時のユーザーの目に眩しい光が入るのを概ね阻止できる。しかし、反射体の筒壁には、反射体の内部に流入した冷却空気を反射体の外へ流出させる貫通穴の一群が形成されているため、熱線性光源から照射された可視光を含む光の一部が貫通穴から漏れ出し、筺体の内面と反射体の周面の間で反射を繰り返しながら吹出口から照射されて、髪乾燥時のユーザーの目に眩しい光が照射されるのを避けられない。貫通穴を省略すると光の漏れ出しを確実に防止できるが、そうすると、反射体の内部空気の排気効率が低下して、反射体の内部温度が上昇し、反射体の変形やフィルタの損壊などの不具合を招くおそれがある。
【０００５】
本発明の目的は、リフレクタの外へ漏れ出た光が吹出口から照射されるのを確実に防止して、髪乾燥時のユーザーに眩しさを感じさせることがないドライヤーを提供することにある。
【課題を解決するための手段】
【０００６】
本発明のドライヤーは、本体ケース１に形成される導風路９の内部に、乾燥風を吹出口１１へ向かって送給する送風ファン３と、加熱源となる発光体２８と、発光体２８から照射された光を吹出口１１の側へ向かって反射案内するリフレクタ２９とが配置されている。リフレクタ２９と吹出口１１の間の光照射経路には、発光体２８から照射された光のうち可視光の透過を阻むフィルタ３０が配置されている。リフレクタ２９の後部には第１通気口４８が開口され、リフレクタ２９の前部には第２通気口４２が開口されており、これら第１通気口４８と第２通気口４２を介してリフレクタ２９の内部が換気されるようになっている。そして、第２通気口４２の外面に、第２通気口４２から漏れ出る光を遮蔽する防眩体７５が設けられていることを特徴とする。本発明において、「可視光の透過を阻むフィルタ」とは、可視光を減衰させた状態で可視光の一部を通過させるフィルタを含むこととする。
【０００７】
防眩体７５が第２通気口４２の開口外面を覆う筒状に形成されており、防眩体７５の筒壁後端が第２通気口４２の後開口縁より後方へ突設されている。
【０００８】
第２通気口４２はリフレクタ２９の前部に周回状に形成されており、第２通気口４２の開口外面が筒状の防眩体７５で覆われている。
【０００９】
リフレクタ２９は前リフレクタ３７と後リフレクタ３８を接合して構成されており、フィルタ３０は前リフレクタ３７の前部に配置されて、フィルタ支持構造５９で前リフレクタ３７に固定されており、フィルタ支持構造５９は、前リフレクタ３７の前端内面に形成したフィルタ受座４１と、前リフレクタ３７の前部周面に外嵌固定されて、フィルタ受座４１と協同してフィルタ３０を挟持固定する押えリング６０とを備えている。
【００１０】
押えリング６０と一体にリング状の防眩体７５が形成されている。
【００１１】
送風ファン３から送給された乾燥風は、第１通気口４８からリフレクタ２９の内部に導入されて第２通気口４２から送出されるようになっており、防眩体７５と第２通気口４２の間に、乾燥風の通過を許す通気通路７６が第２通気口４２に連続する状態で横臥Ｌ字状に形成されており、通気通路７６の前端は、防眩体７５の内面に接当する通路端壁７７で塞がれており、防眩体７５と通路端壁７７で挟まれる内隅部分に、乾燥風を後向きに反転案内する後反転案内面７８が形成されている。
【００１２】
防眩体７５の後端部に、通気通路７６から流出する乾燥空気を前向きに反転案内する前反転案内面７９が形成されている。
【００１３】
前リフレクタ３７は、分割形成された一対の半割体３７ａ・３７ｂを接合して構成されており、防眩体７５とフィルタ支持構造５９とが、一対の半割体３７ａ・３７ｂと一体に形成されている。
【００１４】
導風路９に臨む前リフレクタ３７の周面に、前リフレクタ３７の周囲を囲む導風路９の通路断面積を小さくする絞り部１０４が膨出形成されている。
【００１５】
絞り部１０４の外郭面は防眩体７５の周面を通る仮想外郭面と面一か、仮想外郭面より内側に位置されている。
【００１６】
導風路９に臨み、前リフレクタ３７の周面に連続する絞り部１０４の前端面１０５が、本体ケース１の中心軸線Ｐに対して所定角度αだけ後傾されている。
【００１７】
防眩体７５の後端部に設けた前反転案内面７９の周囲に、前反転案内面７９の周囲を囲む導風路９の通路断面積を小さくする負圧形成構造１０６が設けられている。
【００１８】
負圧形成構造１０６が多孔体で形成されて、美容成分が負圧形成構造１０６に含浸保持されている。
【００１９】
負圧形成構造１０６が内面に絞り面１０７を備えた絞りリング１１２で形成されて、導風路９の周囲を囲む風導筒７に固定されている。
【００２０】
負圧形成構造１０６が、内外二重の内筒１０９および外筒１１０を備えたベンチュリー筒１０８で構成されて、外筒１１０が導風路９の周囲を囲む風導筒７に固定されている。内筒１０９と外筒１１０の間に、前すぼまりリング状の絞り通路１１１が形成されている。
【００２１】
前リフレクタ３７が金属材で形成されており、前リフレクタ３７の前端内面に形成したフィルタ受座４１が、フィルタ３０の周面および後周縁に密着されている。
【００２２】
送風ファン３から送給された乾燥風は、第２通気口４２からリフレクタ２９の内部に導入されて第１通気口４８から送出されており、第２通気口４２の外面を囲む防眩体７５が、リフレクタ２９の周囲を流動する乾燥風を第２通気口４２に向かって反転案内する導風体１１５を兼ねている。
【００２３】
第１通気口４８が発光体２８の周囲を囲む状態でリング状に形成されており、第１通気口４８の後外面に、第１通気口４８の全体を覆う邪魔板１１６が配置されている。送風ファン３から送給された乾燥風の一部が第１通気口４８からリフレクタ２９の内部に流入するのを邪魔板１１６で防いでいる構成を採ることができる。
【００２４】
リフレクタ２９は前リフレクタ３７と後リフレクタ３８を接合して構成されており、前リフレクタ３７と後リフレクタ３８の接合面に、互いに凹凸係合して接合相手のずれ動きを規制する前係合部５１と後係合部５４が形成されている。
【００２５】
前係合部５１と後係合部５４のいずれか一方に挿通したビス５６を、他方に設けたねじボス５５にねじ込んで、前リフレクタ３７と後リフレクタ３８が分離不能に固定されている。
【００２６】
前リフレクタ３７は、分割形成された一対の半割体３７ａ・３７ｂを接合して構成されており、後リフレクタ３８の接合面には、前リフレクタ３７の後縁を嵌合支持する接合溝５２と、前リフレクタ３７の後縁周面を支持する接合壁５３が形成されており、接合壁５３の複数個所には、接合壁５３を切欠いて形成される凹状の後係合部５４とねじボス５５が形成されており、半割体３７ａ・３７ｂの接合面の複数個所には、後係合部５４に落ち込み係合する突起からなる前係合部５１が形成されており、一対の半割体３７ａ・３７ｂを接合し、前係合部５１と後係合部５４を凹凸係合させた状態で、前係合部５１に挿通したビス５６を後係合部５４のねじボス５５にねじ込んで、前リフレクタ３７と後リフレクタ３８が一体化されている構成を採ることができる。
【００２７】
フィルタ３０が前リフレクタ３７の前部に配置されて、フィルタ支持構造５９で前リフレクタ３７に固定されており、フィルタ支持構造５９は、前リフレクタ３７の前端内面に形成したフィルタ受座４１と、前リフレクタ３７の前部周面に外嵌固定されて、フィルタ受座４１と協同してフィルタ３０を挟持固定する押えリング６０とを備えている。
【００２８】
リフレクタ２９の後部に、発光体２８を支持する光源支持構造が設けられており、光源支持構造は、発光体２８を支持する光源台４５と、光源台４５の周囲を囲み後端が開口する筒状の導風壁４６とを備えている。光源台４５に固定したソケット３４に発光体２８のハウジング３２を装着することにより、発光体２８が光源台４５で支持されており、導風壁４６と発光体２８の間の光源冷却通路が、第１通気口４８に連通されている。
【００２９】
発光体２８用のソケット３４が複数のビス４７で光源台４５に締結固定されており、発光体２８のプラグ３３がソケット３４に差込み装着されている。
【００３０】
発光体２８、リフレクタ２９、およびフィルタ３０が１個の熱源ユニット４としてユニット部品化されており、導風路９の周囲を囲む風導筒７に、熱源ユニット４を支持するリング状のばね受枠６４が固定されており、リフレクタ２９とばね受枠６４の対向面の複数個所に、熱源ユニット４を支持する衝撃吸収ばね６５を配置して、熱源ユニット４が本体ケース１に対して浮動支持されている。
【００３１】
リフレクタ２９に、発光体２８から照射された光をフィルタ３０へ向かって前向きに反射案内する第１反射面３９と、第１反射面３９に隣接配置されて、発光体２８から照射された光を後向きに反射案内する第２反射面４０と、第２反射面４０に隣接配置されて、発光体２８から照射された光および第２反射面４０で反射案内された光を、フィルタ３０へ向かって前向きに反射案内する第３反射面４３とが設けられており、前後に長い発光体２８の発光部が、第２反射面４０と第３反射面４３の隣接部分に臨んでいる。
【００３２】
第１反射面３９と、第２反射面４０と、第３反射面４３を備えたリフレクタ２９の前後寸法が、リフレクタ２９の径方向寸法より大きく設定されている。
【００３３】
リフレクタ２９の前部開口にフィルタ３０が配置されている。
【発明の効果】
【００３４】
本発明のドライヤーでは、導風路９の内部に送風ファン３と、発光体２８と、リフレクタ２９を配置し、リフレクタ２９と吹出口１１の間の光照射経路に、可視光の透過を阻むフィルタ３０を配置した。そのうえで、リフレクタ２９の前部に形成した第２通気口４２の外面に防眩体７５を設けて、乾燥風とともに第２通気口４２から漏れ出る光を当該防眩体７５で遮蔽するようにした。こうしたドライヤーによれば、リフレクタ２９の内部に導入される乾燥風でリフレクタ２９の内部を換気・冷却しながら、第２通気口４２から漏れ出る光を防眩体７５で遮蔽して、光が導風路９に沿って吹出口１１側へ向かって照射されることを防止できる。具体的には、第２通気口４２から漏れ出た光を、防眩体７５で第２通気口４２の側へ向かって反射させ、あるいは防眩体７５で散乱させ、さらに防眩体７５で吸収し減衰させることができる。従って、リフレクタ２９の外へ漏れ出た光が吹出口１１から照射されて、髪乾燥時にユーザーに眩しい光が照射されることを防ぐことができるドライヤーを提供できる。
【００３５】
防眩体７５が筒状に形成され、防眩体７５の筒壁後端が第２通気口４２の後開口縁より後方へ突設されていると、第２通気口４２の後開口縁から径方向に照射された光や、斜め前向きに照射された光を、防眩体７５の筒壁内面で確実に遮蔽できる。また、光の一部は、防眩体７５とリフレクタ２９の周面の間の空間を介して導風路９に照射されるが、防眩体７５の筒壁後端が第２通気口４２の後開口縁より後方に位置させてあるので、導風路９に照射された光は全て後向きに傾斜した状態で反射を繰り返す。従って、導風路９内の光が吹出口１１へ向かって照射されるのをさらに確実に防止することができる。
【００３６】
第２通気口４２がリフレクタ２９の前部に周回状に形成され、その開口外面が筒状の防眩体７５で覆われていると、第２通気口４２における乾燥風の出入りを円滑に行えるので、リフレクタ２９の内部に導入した乾燥風による発光体２８およびリフレクタ２９の冷却を効果的に行うことができる。
【００３７】
前リフレクタ３７と後リフレクタ３８でリフレクタ２９が構成され、前リフレクタ３７の前部に配置したフィルタ３０がフィルタ支持構造５９で固定されるようにした。また、フィルタ支持構造５９は、前リフレクタ３７に形成したフィルタ受座４１と、同受座４１と協同してフィルタ３０を挟持固定する押えリング６０とを備えるようにした。こうしたドライヤーによれば、フィルタ３０をフィルタ受座４１に組み、押えリング６０を前リフレクタ３７の前部周面に外嵌し固定することで、フィルタ３０を前リフレクタ３７に簡単に組付けて、分離不能にしっかりと固定することができる。
【００３８】
押えリング６０を利用して同リングと一体にリング状の防眩体７５を形成するようにした。こうしたドライヤーによれば、押えリング６０とは別に防眩体７５を設ける場合に比べて、押えリング６０を利用する分だけ部品点数を少なくしてドライヤーの製造コストを削減できる。
【００３９】
送風ファン３から送給された乾燥風は、第１通気口４８からリフレクタ２９の内部に導入されて第２通気口４２から送出されるようにした。こうしたドライヤーによれば、リフレクタ２９の内部における乾燥風の流れの方向と、送風ファン３から送給された乾燥風の導風路９における流れの方向を一致させることができるので、乾燥風の一部をリフレクタ２９の内部に確実に導入して、発光体２８とリフレクタ２９の冷却を適確に行うことができる。また、防眩体７５と第２通気口４２の間に通気通路７６を形成し、同通路７６の前端の通路端壁７７と防眩体７５で挟まれる内隅部分に、乾燥風を後向きに反転案内する後反転案内面７８を形成するようにした。このように、防眩体７５と通路端壁７７の間の内隅部分に後反転案内面７８が形成されていると、第２通気口４２を通過した後の乾燥風を後反転案内面７８で通気通路７６の後開口へ向かって円滑に反転案内することができる。従って、通気通路７６における乾燥風の流れを整然とした流れにして、発光体２８とリフレクタ２９を冷却した後の乾燥風の一部が第２通気口４２や通気通路７６で滞留するのを防止することができる。
【００４０】
防眩体７５の後端部に、通気通路７６から流出する乾燥空気を前向きに反転案内する前反転案内面７９が形成されていると、通気通路７６から流出した乾燥空気を防眩体７５の外面側へ向かって円滑に反転案内させて、導風路９を流動する乾燥風に合流させることができる。
【００４１】
分割形成された一対の半割体３７ａ・３７ｂを接合して前リフレクタ３７を構成し、防眩体７５とフィルタ支持構造５９とを一対の半割体３７ａ・３７ｂと一体に形成するようにした。こうしたドライヤーによれば、一対の半割体３７ａ・３７ｂを接合し固定することで、フィルタ３０を前リフレクタ３７と一体化することができる。また、防眩体７５とフィルタ支持構造５９を一対の半割体３７ａ・３７ｂと一体に形成する分だけ部品点数を少なくしてドライヤーの製造コストを削減できる。
【００４２】
導風路９に臨む前リフレクタ３７の周面に絞り部１０４が膨出形成されていると、前リフレクタ３７の周囲を囲む導風路９の通路断面積を絞り部１０４の分だけ小さくして、絞り部１０４を通過する乾燥風の流速を増加させた状態で吹出口１１へ向かって送給できる。これに伴い、通気通路７６から放出される乾燥風の周囲が、流速の大きな乾燥風の流れで囲まれるので、通気通路７６を通過した乾燥風を、流速の大きな乾燥風により確実に合流させて、円滑に吹出口１１へ向かって送給できる。
【００４３】
絞り部１０４の外郭面は防眩体７５の周面を通る仮想外郭面と面一か、仮想外郭面より内側に位置させるようにした。こうした絞り部１０４によれば、乾燥風と共に通気通路７６を通過した光が、防眩体７５と絞り部１０４の前端壁の間で反射するようなことがあったとしても、反射光が防眩体７５の周面側へ照射されて吹出口１１へ到達することを確実に防止できる。
【００４４】
導風路９に臨む絞り部１０４の前端面１０５を、本体ケース１の中心軸線Ｐに対して所定角度αだけ後傾させるようにした。このように、絞り部１０４の前端面１０５が後傾されていると、通路端壁７７や防眩体７５の内面で反射した光を、通気通路７６の出口から後向きに放出させて、吹出口１１側へ光が漏れ出ることをさらに確実に防止できる。
【００４５】
防眩体７５の後端部の前反転案内面７９の周囲に、導風路９の通路断面積を小さくする負圧形成構造１０６を設ける。このように、前反転案内面７９の周囲に負圧形成構造１０６が形成されていると、防眩体７５の周囲を流れる乾燥風の圧力を低下させて流速を早くすることができる。これに伴い、通気通路７６から放出される乾燥風の周囲が、流速の大きな乾燥風の流れで囲まれるので、通気通路７６から前反転案内面７９の周囲に流動した乾燥風を流速の大きな乾燥風により確実に合流させて、円滑に吹出口１１へ向かって送給できる。また、通気通路７６から放出される乾燥風の圧力が、防眩体７５の周囲を流れる乾燥風の圧力より大きいので、防眩体７５の周囲を流れる乾燥風が、通気通路７６からリフレクタ２９の内部へ入り込むことをよく防止できる。
【００４６】
多孔体で形成した負圧形成構造１０６に美容成分を含浸保持させるようにした。こうした負圧形成構造１０６によれば、導風路９を流れる間に負圧形成構造１０６と接触した乾燥風にコラーゲンやビタミンなどの美容成分を放出して、美容成分を含む乾燥風を吹出口１１から送給できる。
【００４７】
内面に絞り面１０７を備えた絞りリング１１２で負圧形成構造１０６を形成し、導風路９の周囲を囲む風導筒７に絞りリング１１２を固定するようにした。こうした負圧形成構造１０６によれば、構造が簡単な絞りリング１１２で乾燥風を増速できるので、負圧形成構造１０６の構造を簡素化してドライヤーの製造コストを削減できる。
【００４８】
内外二重の内筒１０９および外筒１１０を備えたベンチュリー筒１０８で、負圧形成構造を構成し、内筒１０９と外筒１１０の間に、前すぼまりリング状の絞り通路１１１を形成するようにした。こうした負圧形成構造によれば、絞り通路１１１を通過する乾燥風の速度を格段に高めることができる。また、通気通路７６から前反転案内面７９を経由して、防眩体７５の外へ流動した乾燥風を、ベンチュリー筒１０８から出た流速の早い乾燥風の吸引作用で合流させることができるので、リフレクタ３７の内部における乾燥風の流動を促進して、乾燥風によるハロゲンランプ２８やリフレクタ２９の冷却を効果的に行うことができる。
【００４９】
金属材で形成した前リフレクタ３７の前端内面にフィルタ受座４１を形成し、フィルタ受座４１をフィルタ３０の周面および後周縁に密着させるようにした。こうしたフィルタ支持構造５９によれば、フィルタ３０の熱を前リフレクタ３７側へ効果的に伝導させて、フィルタ３０の冷却を促進し常に適温状態に維持できる。
【００５０】
送風ファン３から送給された乾燥風が第２通気口４２からリフレクタ２９の内部に導入して第１通気口４８から送出されるようにした。また、第２通気口４２の外面を囲む防眩体７５が導風体１１５を兼ねるようにして、リフレクタ２９の周囲を流動する乾燥風を導風体１１５で第２通気口４２に向かって反転案内できるようにした。こうした、ドライヤーによれば、導風路９を吹出口１１へ向かって流動する乾燥風の一部を、導風体１１５で反転案内し第２通気口４２からリフレクタ２９の内部に導入して、発光体２８とリフレクタ２９を冷却したのち第１通気口４８から送出することができる。このとき、リフレクタ２９の周囲に張り出された導風体１１５で乾燥風を受止めて反転案内するので、リフレクタ２９の内部により多くの乾燥風を導入して、発光体２８およびリフレクタ２９を効果的に冷却することができる。
【００５１】
発光体２８の周囲を囲む第１通気口４８の後外面に、第１通気口４８の全体を覆う邪魔板１１６が配置されていると、送風ファン３から送給された乾燥風の一部が第１通気口４８からリフレクタ２９の内部に流入するのを邪魔板１１６で防止できる。従って、リフレクタ２９の内部を第２通気口４２から第１通気口４８へ向かって流動する乾燥風の流れを円滑で好適なものとして、発光体２８およびリフレクタ２９の冷却をさらに効果的に行うことができる。
【００５２】
前リフレクタ３７と後リフレクタ３８とを接合してリフレクタ２９を構成し、前リフレクタ３７と後リフレクタ３８との接合面に、互いに凹凸係合して接合相手のずれ動きを規制する前係合部５１と後係合部５４とが形成されていると、前係合部５１と後係合部５４を互いに凹凸係合させることにより、接合相手のずれ動きを規制し位置決めした状態で、前リフレクタ３７と後リフレクタ３８とを適正に組むことができる。
【００５３】
前係合部５１と後係合部５４のいずれか一方に挿通したビス５６を、他方に設けたねじボス５５にねじ込んで、前リフレクタ３７と後リフレクタ３８とが分離不能に固定されるようになっていると、より簡単な締結構造でありながら、前リフレクタ３７と後リフレクタ３８をビス５６で強固に締結固定することができる。従って、リフレクタ２９に設けた反射面３９・４０・４３の光学特性を常に一定にできる。
【００５４】
前リフレクタ３７を一対の半割体３７ａ・３７ｂを接合して構成し、これら半割体３７ａ・３７ｂの接合面に、後リフレクタ３８の後係合部５４に落ち込み係合する前係合部５１が形成されていると、一対の半割体３７ａ・３７ｂを接合し、前係合部５１と後係合部５４を凹凸係合させた状態で、前係合部５１に挿通したビス５６を後係合部５４のねじボス５５にねじ込むことにより、前リフレクタ３７と後リフレクタ３８を強固に締結固定できる。また、前リフレクタ３７と後リフレクタ３８の形状や構造が様々に変更される場合であっても、半割体３７ａ・３７ｂと後リフレクタ３８の３者を互いに位置決めした状態で適正に一体化することができる。
【００５５】
前リフレクタ３７の前部に配置したフィルタ３０がフィルタ支持構造５９で固定されるようにした。また、フィルタ支持構造５９は、前リフレクタ３７に形成したフィルタ受座４１と、同受座４１と協同してフィルタ３０を挟持固定する押えリング６０を備えるものとした。こうしたフィルタ支持構造５９によれば、フィルタ３０をフィルタ受座４１に組み、押えリング６０を前リフレクタ３７の前部周面に外嵌し固定することで、フィルタ３０を前リフレクタ３７に簡単に組んで、分離不能にしっかりと固定することができる。
【００５６】
発光体２８を支持する光源支持構造は、発光体２８を支持する光源台４５と、光源台４５の周囲を囲む筒状の導風壁４６を備えるものとし、光源台４５に固定したソケット３４に発光体２８のハウジング３２を装着することにより、発光体２８が光源台４５で支持されるようにした。こうした光源支持構造によれば、導風壁４６と発光体２８の間の光源冷却通路が第１通気口４８と連通されるので、導風壁４６の後端開口から導入した乾燥風を、第１通気口４８からリフレクタ２９の内部へ流動させ、発光体２８およびリフレクタ２９に接触させて効果的に冷却することができる。
【００５７】
ソケット３４が複数のビス４７で光源台４５に締結固定されるものとし、また、発光体２８のプラグ３３をソケット３４に差込み装着することで、発光体２８が光源台４５で支持されるものとした。こうした光源支持構造によれば、ビス４７を緩めてソケット３４を光源台４５から取外すことにより、発光体２８およびソケット３４をリフレクタ２９から分離できる。また、プラグ３３をソケット３４から抜外すことにより、発光体２８をソケット３４から分離できるので、発光体２８が故障した場合の交換作業を容易に行うことができる。
【００５８】
発光体２８、リフレクタ２９、およびフィルタ３０を１個の熱源ユニット４としてユニット部品化する。そのうえで、導風路９の周囲を囲む風導筒７に、熱源ユニット４を支持するリング状のばね受枠６４を固定し、リフレクタ２９とばね受枠６４の対向面の複数個所に衝撃吸収ばね６５を配置する。こうしたドライヤーによれば、熱源ユニット４を複数の衝撃吸収ばね６５で支持して、本体ケース１に対して浮動支持することができる。これにより、本体ケース１が他物に衝突して外部衝撃を受けるような場合であっても、外部衝撃の殆どを衝撃吸収ばね６５で吸収して、熱源ユニット４に衝撃が作用するのを確実に防止できる。従って、発光体２８が外部衝撃や外部振動を受けて故障するのを良く防止して、発光体２８の発光機能を長期にわたって適正に発揮させることができる。
【００５９】
リフレクタ２９の内部に、第１反射面３９と、第２反射面４０と、第３反射面４３を設け、第１反射面３９は、発光体２８から照射され第１反射面３９に到達した光をフィルタ３０へ向かって前向きに反射案内できるようにする。第２反射面４０は、発光体２８から照射され第２反射面４０に到達した光を後向きに反射案内できるようにする。第３反射面４３は、発光体２８から照射され第３反射面４３に到達した光、および第２反射面４０で反射案内された光を、フィルタ３０へ向かって前向きに反射案内できるようにする。こうしたリフレクタ２９によれば、発光体２８から照射されて各反射面３９・４０・４３に到達した光を、各反射面３９・４０・４３で効率良く反射案内してフィルタ３０に向かって照射することができる。また、前後に長い発光体２８の発光部を、第２反射面４０と第３反射面４３の隣接部分に臨ませているので、リフレクタ２９の径方向寸法が大きくなるのを防止してコンパクト化を実現しながら、発光体２８から照射された光をフィルタ３０に向かって照射することができる。これは、発光体２８から照射された光を、例えば１個の反射面のみで反射案内する場合には、リフレクタ２９の照射開口の直径寸法が大きくなってしまい、その分だけリフレクタ２９が大形になるからである。
【００６０】
第１反射面３９と、第２反射面４０と、第３反射面４３を備えたリフレクタ２９の前後寸法が、リフレクタ２９の径方向寸法よりも大きく設定されていると、細長い筒構造のリフレクタ２９を構成することができ、リフレクタ２９の径方向寸法が小さい分だけドライヤーをコンパクト化できる。
【００６１】
リフレクタ２９の前部開口にフィルタ３０が配置されていると、減衰されていない可視光が吹出口１１から放出されることを確実に防止して、髪乾燥時のユーザーに眩しさを感じさせることのないドライヤーを提供できる。
【図面の簡単な説明】
【００６２】
【図１】本発明の実施例１に係るドライヤーの要部の縦断側面図である。
【図２】実施例１に係るドライヤーの縦断側面図である。
【図３】実施例１に係るドライヤーの発光構造を示す縦断側面図である。
【図４】実施例１に係るドライヤーの発光構造を示す横断平面図である。
【図５】実施例１に係るドライヤーのケース構造を示す分解側面図である。
【図６】実施例１に係るドライヤーのケース構造を示す分解斜視図である。
【図７】実施例１に係るドライヤーのリフレクタを示す分解斜視図である。
【図８】実施例１に係るドライヤーの発光構造を示す分解断面図である。
【図９】図３におけるＡ−Ａ線断面図である。
【図１０】図３におけるＣ−Ｃ線断面図である。
【図１１】図３におけるＢ−Ｂ線断面図である。
【図１２】実施例２に係るドライヤーのフィルタ支持構造を示す縦断側面図である。
【図１３】実施例３に係るドライヤーのフィルタ支持構造を示す縦断側面図である。
【図１４】実施例４に係るドライヤーのフィルタ支持構造を示す縦断側面図である。
【図１５】実施例５に係るドライヤーのフィルタ支持構造を示す縦断側面図である。
【図１６】実施例６に係るドライヤーの負圧形成構造を示す縦断側面図である。
【図１７】実施例７に係るドライヤーの負圧形成構造を示す縦断側面図である。
【図１８】実施例８に係るドライヤーのリフレクタを示す縦断側面図である。
【発明を実施するための形態】
【００６３】
（実施例１）  図１ないし図１１に、本発明に係るドライヤーをヘアードライヤーに適用した実施例１を示す。本実施例における前後、左右、上下とは、図２、および図６に示す交差矢印と、各矢印の近傍に表記した前後、左右、上下の表示に従う。図２および図３においてヘアードライヤーは、前後に長い中空筒状の本体ケース１の内部に、ファンモータ２で回転駆動される軸流型の送風ファン３と、加熱源となる熱源ユニット４などを収容して構成される。本体ケース１は、左右に分割された一対の半割体７ａ・７ｂを接合して形成される風導筒７と、風導筒７が内嵌装着される外装筒８とを備えている。風導筒７の内面は、送風ファン３から送給される乾燥風の導風路９になっており、導風路９の後端に空気の吸込口１０が設けられ、前端に空気の吹出口１１が設けられている。吹出口１１は吹出ケース５と補助吹出ケース６とで囲まれており、一体化した両ケース５・６は風導筒７の前部外面にバヨネット係合されている。風導筒７の後部下面には、グリップ１２が一体に形成されており、その内部にメインスイッチ１３と、消灯スイッチ１４と、トランス１５などが配置されている。符号１６はメインスイッチ１３を切換えるスライドノブ、１７は消灯スイッチ１４を切換える押ボタンである。図３において、符号Ｐはヘアードライヤーの中心軸線を示す。上記のように実施例１では、風導筒７の内部が導風路９になっているが、風導筒７を備えていない場合には、外装筒８の内部が導風路９となる。また、風導筒７の内面、または外装筒８の内面に、断熱用のマイカや金属製の筒体が設けてあってもよい。
【００６４】
送風ファン３は本体ケース１の後半部に配置されており、吸込口１０から吸い込んだ空気を送風ファン３で加圧して吹出口１１へ向かって送給する。風導筒７に固定したファンケース２０のホルダー部２１にはファンモータ２が固定されており、これらファンケース２０とホルダー部２１の間には、複数個の整流翼２６が形成されている。ホルダー部２１の前面には、ファンモータ２や後述するハロゲンランプ（発光体）２８、およびイオン放出構造の駆動状態を制御する制御基板２２が固定されている。先のメインスイッチ１３がオフ位置から弱運転位置に切換えられると、制御部はハロゲンランプ２８を低輝度状態で点灯し、送風ファン３を低速で駆動する。メインスイッチ１３が弱運転位置から強運転位置に切換えられると、制御部はハロゲンランプ２８を高輝度状態で点灯し、送風ファン３を高速で駆動する。イオン放出構造は、弱運転位置、および強運転位置のいずれの場合にも作動して、マイナスイオンを放出する。ハロゲンランプ２８が点灯している状態で、消灯スイッチ１４がオン操作されると、制御部はハロゲンランプ２８を一時的に消灯させる。
【００６５】
吸込口１０の外面は、パンチングメタル製の第１グリル２３と、多重リング状の第２グリル２４とで覆われている。また、吹出口１１の内面は第３グリル２５で覆われている。第２グリル２４と第３グリル２５は、半割体７ａ・７ｂで挟持固定されており、第１グリル２３は風導筒７の後部に着脱可能に装着されている。吹出口１１は外装筒８の前端に固定した吹出ケース５に囲まれており、乾燥風の吹出口と、ハロゲンランプ２８から照射される赤外線（熱線）をユーザーの毛髪へ向けて照射する照射口を兼ねている。吹出口１１は、ポリカーボネイト製の吹出ケース５と耐熱性に富むＰＰＳ樹脂製の補助吹出ケース６とを一体化して構成されており、吹出ケース５の後面に設けた係合脚１８を、風導筒７の前部外面の係合壁７ｃにバヨネット係合し、さらに吹出ケース５の下端を外装筒８からねじ込んだビス１９で締結することにより、風導筒７と一体化されている。補助吹出ケース６には、乾燥風の通過を許す通口９６と、乾燥風の一部とマイナスイオンの通過を許すイオン通口９７とが開口されている。
【００６６】
図４において熱源ユニット４は、ハロゲンランプ（発光体）２８と、リフレクタ２９と、フィルタ３０を備えた１個のユニット部品からなる。ハロゲンランプ２８は、発光部（フィラメント）３６と不活性ガス及びハロゲンガスなどを封入した前後に長いバルブ３１とハウジング３２を備えており、ハウジング３２のプラグ３３をソケット３４に差込み装着することにより、ソケット３４で固定支持されている。ソケット３４は後述する光源台４５に締結固定されている。ハロゲンランプ２８を点灯すると、バルブ３１の発光部３６から可視光と赤外光とが照射される。
【００６７】
リフレクタ２９は、前リフレクタ３７と後リフレクタ３８を接合して構成されている。前リフレクタ３７は、左右に分割形成された一対の半割体３７ａ・３７ｂを接合して構成されている（図７参照）。半割体３７ａ・３７ｂはアルミニウムなどの金属をプレス成形した成形品からなり、その内面には反射面が形成されている。反射面は研磨加工や、鏡面仕上げ加工などで形成することができ、必要があればメッキ処理を施して形成してあってもよい。前リフレクタ３７の内面には、ハロゲンランプ２８から照射された光をフィルタ３０へ向かって前向きに反射案内する第１反射面３９と、ハロゲンランプ２８から照射された光を、第３反射面４３へ向かって後向きに反射案内する第２反射面４０とが設けられており、第２反射面４０は第１反射面３９に隣接する状態で形成されている。半割体３７ａ・３７ｂの前端内面にはフィルタ受座４１が形成されており、フィルタ受座４１の後周面には第２通気口４２が２個ずつ形成されている。第２通気口４２は、半割体３７ａ・３７ｂを接合した状態において、前リフレクタ３７の前端寄りの壁面に、スリット状の開口として全周にわたって形成されている。前リフレクタ３７は、１個の反射筒で構成してあってもよく、その場合にはアルミニウムなどの金属を素材とするダイキャスト成形品で構成することができる。
【００６８】
後リフレクタ３８は、アルミニウムなどの金属を素材とするダイキャスト成形品からなり、その前面にハロゲンランプ２８から照射された光および第２反射面４０で反射案内された光を、フィルタ３０へ向かって前向きに反射案内する凹面鏡状の第３反射面４３が設けられており、その内面には反射面が形成されている。反射面は研磨加工や、鏡面仕上げ加工などで形成することができ、必要があればメッキ処理を施して形成してあってもよい。第３反射面４３の後側には、ハロゲンランプ２８を支持する光源支持構造が設けられている。光源支持構造は、ハロゲンランプ２８を支持する４個のボスからなる光源台４５と、光源台４５の周囲を囲む、六角筒状の導風壁４６とを備えており、先に説明したソケット３４が各光源台４５に４個のビス４７で、配線基板４９とともに締結固定されている。第３反射面４３の中央には、乾燥風をリフレクタ３８の内部に導入するための第１通気口４８が形成されている。配線基板４９は、ハロゲンランプ２８に電力を供給するリード線や、ファンモータ２に電力を供給するリード線を、いったんまとめて振り分けるために設けてある。導風壁４６とハロゲンランプ２８の間は、光源冷却通路になっており、第１通気口４８に連通している。光源台４５に固定した配線基板４９は、第１通気口４８から漏れ出た光が吸込口１０側へ照射されるのを阻止するための遮光板を兼ねている。
【００６９】
第１反射面３９と、第２反射面４０と、第３反射面４３はそれぞれ以下のように構成してある。第１反射面３９は楕円状の曲面で形成してある。また、第２反射面４０はハロゲンランプ２８の発光部３６を中心にした円弧面で形成してある。さらに、第３反射面４３は、楕円状の曲面、または放物線状の曲面で形成してある。こうしたリフレクタ２９によれば、第２反射面４０がハロゲンランプ２８の発光部３６を中心にした円弧面で形成してあるので、ハロゲンランプ２８から照射されて、第２反射面４０で反射されて第３反射面４３に向かう光の軌跡と、ハロゲンランプ２８から第３反射面４３に向かって直接照射される光の軌跡は一致することとなる。第１反射面３９で反射案内されてフィルタ３０へ向かう光と、第３反射面４３で反射案内されてフィルタ３０へ向かう光は、発光部３６から３０ｃｍ前方の本体ケース１の外部で集光するようになっている。
【００７０】
上記のように、３個の反射面３９・４０・４３を備えたリフレクタ２９によれば、発光体２８から照射されて各反射面３９・４０・４３に到達した光を、各反射面３９・４０・４３で効率良く反射案内してフィルタ３０に向って照射することができる。また、前後に長い発光体２８の発光部（フィラメント）３６の軸方向の中心が、第２反射面４０と第３反射面４３の隣接部分に臨ませてあるので、リフレクタ２９の径方向寸法が大きくなるのを防止してコンパクト化を実現しながら、発光体２８から照射された光をフィルタ３０に向かって照射することができる。これは、発光体２８から照射された光を、例えば１個の反射面のみで反射案内する場合には、リフレクタ２９の照射開口の直径寸法が大きくなってしまい、その分だけリフレクタ２９が大形になるからである。発光部３６は、その発光中心が第２反射面４０と第３反射面４３の隣接部分に一致する状態で位置させてある必要はなく、軸方向に長い発光部３６の一部が、第２反射面４０と第３反射面４３の隣接部分にオーバーラップしていればよい。さらに、第１反射面３９と、第２反射面４０と、第３反射面４３を備えたリフレクタ２９の前後寸法を、リフレクタ２９の径方向寸法より大きく設定したので、前後に長い発光体２８を使用するのに適した細長い筒構造のリフレクタ２９を構成することができ、リフレクタ２９の径方向寸法が小さい分だけドライヤーをコンパクト化することができる。
【００７１】
上記の光源支持構造によれば、導風壁４６と発光体２８の間の光源冷却通路が第１通気口４８と連通されるので、導風壁４６の後端開口から導入した乾燥風を、第１通気口４８からリフレクタ２９の内部へ流動させ、リフレクタ２９の内部を換気することができる。また、このとき第１通気口４８からリフレクタ２９の内部へ流動させた乾燥風を、発光体２８およびリフレクタ２９に接触させることで、これら発光体２８およびリフレクタ２９を効果的に冷却することで、発光体２８およびリフレクタ２９の温度上昇を抑制できる。また、ビス４７を緩めてソケット３４を光源台４５から取外すことにより、発光体２８およびソケット３４をリフレクタ２９から分離することができる。また、プラグ３３をソケット３４から抜外すことにより、発光体２８をソケット３４から分離できるので、発光体２８が故障した場合の交換作業を容易に行うことができる。
【００７２】
前リフレクタ３７と後リフレクタ３８は、第２反射面４０と第３反射面４３が隣接する状態で接合されて締結固定される。両リフレクタ３７・３８を締結固定するために、半割体３７ａ・３７ｂの後縁５７に前係合部（突起）５１が折曲げられた状態で径方向へ突出形成されている。また、後リフレクタ３８の前端に、前リフレクタ３７の後縁５７を嵌合支持する接合溝５２と、前リフレクタ３７の後縁５７の周面を支持する接合壁５３が形成されており、さらに接合壁５３の対向２個所には、接合壁５３を切欠いて形成される凹状の後係合部５４とねじボス５５とが形成されている。一対の半割体３７ａ・３７ｂを接合し、前係合部５１と後係合部５４を凹凸係合させることにより、前リフレクタ３７と後リフレクタ３８を接合できる。また、前係合部５１の貫通孔５１ａに挿通したビス５６をねじボス５５にねじ込むことにより、前リフレクタ３７と後リフレクタ３８を一体化できる。リフレクタ２９にハロゲンランプ２８を組み付けた状態では、ハロゲンランプ２８のフィラメント中心が、第２反射面４０と第３反射面４３の隣接部分に臨んでいる（図４参照）。上記のように、前リフレクタ３７と後リフレクタ３８は、前リフレクタ３７の後縁５７と接合溝５２の係合により、径方向のずれ動きが阻止されており、さらに、前係合部５１と後係合部５４の係合により、中心軸Ｐ回りの回動が阻止されている。
【００７３】
フィルタ３０は低膨張性ガラスで形成されており、フィルタ支持構造５９で前リフレクタ３７の前端に固定されている。フィルタ支持構造５９は、前リフレクタ３７に形成したフィルタ受座４１と、フィルタ受座４１と協同してフィルタ３０を前後に挟持固定する押えリング６０とからなる。押えリング６０は、フィルタ３０の前周縁を押え保持する端壁６１と、フィルタ受座４１の外周面に外嵌するリング状の周回壁６２とを備えており、この周回壁６２が後述する防眩体７５として機能する。図４に示すように、押えリング６０はビス６３で前リフレクタ３７に固定されている。フィルタ受座４１はフィルタ３０の周面および後周縁に密着されている。これによりフィルタ３０の熱を前リフレクタ３７側へ効果的に伝導させて、フィルタ３０の冷却を促進することができる。
【００７４】
上記のように、フィルタ支持構造５９は、前リフレクタ３７に形成したフィルタ受座４１と、同受座４１と協同してフィルタ３０を挟持固定する押えリング６０を備える。こうしたフィルタ支持構造５９によれば、フィルタ３０をフィルタ受座４１に組み、押えリング６０を前リフレクタ３７の前部周面に外嵌し固定することで、フィルタ３０を前リフレクタ３７に簡単に組んで、分離不能にしっかりと固定することができる。
【００７５】
ハロゲンランプ２８は衝撃に弱く、大きな外力が作用するとフィラメントが破損し、あるいは変形する。ハロゲンランプ２８に衝撃が作用するのを防ぐために、熱源ユニット４は本体ケース１に対して浮動支持されている。詳しくは、図９に示すように、光源支持構造の周囲を囲む風導筒７の内面に、熱源ユニット４を支持するリング状のばね受枠６４を固定し、後リフレクタ３８とばね受枠６４の対向面の３個所に、熱源ユニット４を支持する衝撃吸収ばね６５を配置している。また、フィルタ３０の周囲を囲む風導筒７の内面に、熱源ユニット４を支持する六角リング状のユニット支持枠６６を固定し、後述する防眩体７５とユニット支持枠６６の対向面の３個所に、熱源ユニット４を支持するゲル状弾性体６７を配置している。
【００７６】
ばね受枠６４は、板ばねで形成した３個のばね腕７０を六角枠状に連結して構成されており、各ばね腕７０の中央には、衝撃吸収ばね６５の一端を受止めるばね座７１が形成されている。ばね座７１と対向する後リフレクタ３８の導風壁４６にも衝撃吸収ばね６５の他端を受止めるばね座７２が形成されている。ユニット支持枠６６は、板ばねで六角枠状に形成されており、その３個所にゲル状弾性体６７を保持するゲル保持部７３が形成されている。上記のように、本体ケース１で浮動支持された熱源ユニット４は、ばね受枠６４と衝撃吸収ばね６５が弾性変形し、さらにユニット支持枠６６が弾性変形し、ゲル状弾性体６７が衝撃を吸収することで、衝撃を緩和吸収してハロゲンランプ２８に衝撃が作用することを防止する。従って、本体ケース１が他物に衝突して外部衝撃を受けるような場合であっても、外部衝撃の殆どを衝撃吸収ばね６５、およびゲル状弾性体６７で吸収して、熱源ユニット４に衝撃が作用することを防止できる。発光体２８が外部衝撃や外部振動を受けて故障することを良く防止できるので、発光体２８の発光機能を長期にわたって適正に発揮させることができる。
【００７７】
使用時には、ハロゲンランプ２８を点灯し、送風ファン３を駆動して、フィルタ３０を通過した赤外線を髪に照射し、さらに、送風ファン３から送給された乾燥風（冷却風）を髪に送給して髪の乾燥を行う。乾燥風の一部は後開口５８から導風壁４６内へ導入され、光源冷却通路から第１通気口４８へ流入しながら、ハロゲンランプ２８とリフレクタ２９、およびフィルタ３０を冷却したのち、第２通気口４２からリフレクタ２９の外へ流出し、導風路９を流動する乾燥風と合流して吹出口１１から送出される。送風ファン３から送給された乾燥風の一部は、熱源ユニット４の周囲の導風路９に沿って流動する間に、第２通気口４２の周囲を負圧状態にする。従って、ベンチュリー効果によって、リフレクタ２９内部の第２通気口４２の付近の空気が先の乾燥風に引寄せられて合流し、吹出口１１へと送出される。なお、送風ファン３から送給された乾燥風を、後開口５８から導風壁４６の内部に正圧の乾燥風として導入し、ハロゲンランプ２８とリフレクタ２９、およびフィルタ３０を冷却したのち、第２通気口４２からリフレクタ２９の外へ流出させるようにしてもよい。
【００７８】
乾燥風が第２通気口４２から流出するとき、ハロゲンランプ２８から照射された光の一部が第２通気口４２から漏れ出てしまう。このように、第２通気口４２から漏れ出た光が吹出口１１から照射されて、髪乾燥時のユーザーに眩しさを感じさせるのを防ぐために、第２通気口４２の外面に、第２通気口４２から漏れ出た光を吹出口１１から遠ざかる向きに変向案内する防眩構造を設けている。図１において防眩構造は、第２通気口４２の開口外面を覆う筒状の防眩体７５を備えており、実施例１では、先に説明した周回壁６２が防眩体７５を兼ねている。
【００７９】
このように周回壁６２が防眩体７５を兼ねていると、押えリング６０とは別に防眩体７５を設ける場合に比べて、押えリング６０を利用する分だけ部品点数を少なくしてドライヤーの製造コストを削減できる。また、リング状の防眩体７５は、リフレクタ２９に形成した全ての第２通気口４２の開口外面を覆っており、防眩体７５の筒壁後端は、第２通気口４２の後開口縁より後方へ突設している。こうした防眩構造によれば、第２通気口４２の後開口縁から径方向に照射された光や、斜め前向きに照射された光を、防眩体７５の筒壁内面で確実に遮蔽できる。光の一部は、防眩体７５とリフレクタ２９の周面の間の空間を介して導風路９に照射されるが、防眩体７５の筒壁後端が第２通気口４２の後開口縁より後方に位置しているので、導風路９に照射された光は全て後向きに傾斜した状態で反射を繰り返す。従って、導風路９内の光が吹出口１１へ向かって照射されるのをさらに確実に防止できる。
【００８０】
上記のように、第２通気口４２の開口外面を防眩体７５で覆うと、防眩体７５と第２通気口４２の間に、乾燥風の通過を許す通気通路７６が第２通気口４２に連続する状態で横臥Ｌ字状に形成される。通気通路７６の前端は、前リフレクタ３７から突設されて防眩体７５の内面に接当する通路端壁７７で塞がれているので、通気通路７６に流入した乾燥風は、後向きに反転移動する。さらに、通気通路７６から流出した乾燥風は、通路端壁７７の後端に沿って反転移動して、導風路９を流動する乾燥風と合流する。こうした乾燥風の反転移動を円滑に行うために、防眩体７５と通路端壁７７で挟まれる内隅部分に、乾燥風を後向きに反転案内する後反転案内面７８を形成し、防眩体７５の後端部に、乾燥風を前向きに反転案内する前反転案内面７９を形成している（図１参照）。後反転案内面７８は、通路端壁７７に連続する４分円状の円弧面からなり、前反転案内面７９は半円状の円弧面からなる。
【００８１】
第１反射面３９と第２反射面４０が隣接するくびれ部分の周囲には、美容成分を乾燥風に放出する徐放リング８０が配置されている。徐放リング８０は、内リング８１と、外リング８２と、両リングの間に設けられる一群の放射壁８３を一体に備えた多孔セラミック体からなり、その多孔部分にビタミンやコラーゲンなどの美容成分が含浸されている。ユニット支持枠６６と、徐放リング８０と、ばね受枠６４は、それぞれ風導筒７の半割体７ａ・７ｂの対向面の前後３個所に設けた前挟持部８６と、中挟持部８７と、後挟持部８８で強固に挟持固定されている。上記のように、導風路９に臨んで徐放リング８０が設けられていると、徐放リング８０と接触する乾燥風に美容成分を放出して、美容成分を含む乾燥風を吹出口１１から送給できる。
【００８２】
マイナスイオンを乾燥風とともに髪へ送給するために、吹出口１１に臨む風導筒７の内部にイオン放出構造を設けている。イオン放出構造は電極ホルダー９１と、電極ホルダー９１で支持される３個の中央電極（放電電極）９２と、中央電極９２の周囲を囲む筒壁９３に固定される周囲電極（対向電極）９４とを備えている。電極ホルダー９１は風導筒７に設けた一対の挟持壁９５で挟持固定されている。補助吹出ケース６には赤外線および乾燥風を送出する通口９６が形成され、さらに中央電極９２と正対するケース下部の中央にイオン通口９７が形成されている。図３において、熱源ユニット４より前側の風導筒７の上壁部分には、温度ヒューズ９８が配置されている。
【００８３】
以上のように構成した実施例１のヘアードライヤーでは、リフレクタ２９の内部に導入した乾燥風で発光体２８とリフレクタ２９を冷却しながら、乾燥風と共に第２通気口４２から漏れ出た光を防眩体７５で遮蔽して、光が導風路９に沿って吹出口１１側へ向かって照射されるのを防止できる。例えば、第２通気口４２から漏れ出た光を、防眩体７５で第２通気口４２の側へ向かって反射させ、あるいは防眩体７５で散乱させ、さらに防眩体７５で吸収し減衰させることができる。従って、リフレクタ２９の外へ漏れ出た光が吹出口１１から照射されるのを確実に防止して、髪乾燥時のユーザーに眩しさを感じさせることのないドライヤーを提供できる。
【００８４】
また、防眩体７５を筒状に形成するとともに、防眩体７５の筒壁後端を第２通気口４２の後開口縁より後方へ突設させるようにしたので、第２通気口４２の後開口縁から径方向に照射された光や、斜め前向きに照射された光を、防眩体７５の筒壁内面で確実に遮蔽することができる。また、光の一部は、防眩体７５とリフレクタ２９の周面の間の空間を介して導風路９に照射されるが、防眩体７５の筒壁後端が第２通気口４２の後開口縁より後方に位置させているので、導風路９に照射された光は全て後向きに傾斜した状態で反射を繰り返す。従って、導風路９内の光が吹出口１１へ向かって照射されるのをさらに確実に防止できる。
【００８５】
実施例１では、前リフレクタ３７と後リフレクタ３８でリフレクタ２９を構成し、前リフレクタ３７の前部に配置したフィルタ３０をフィルタ支持構造５９で固定するようにした。また、フィルタ支持構造５９は、前リフレクタ３７に形成したフィルタ受座４１と、同受座４１と協同してフィルタ３０を挟持固定する押えリング６０とを備えるものとした。こうしたドライヤーによれば、フィルタ３０をフィルタ受座４１に組み、押えリング６０を前リフレクタ３７の前部周面に外嵌し固定することで、フィルタ３０を前リフレクタ３７に簡単に組付けて、分離不能にしっかりと固定することができる。
【００８６】
実施例１では、送風ファン３から送給された乾燥風は、第１通気口４８からリフレクタ２９の内部に導入されて第２通気口４２から送出するようにした。こうしたドライヤーによれば、リフレクタ２９の内部における乾燥風の流れの方向と、送風ファン３から送給された乾燥風の導風路９における流れの方向を一致させることができるので、乾燥風の一部をリフレクタ２９の内部に確実に導入して、発光体２８とリフレクタ２９の冷却を適確に行うことができる。
【００８７】
また、防眩体７５と第２通気口４２の間に通気通路７６を形成し、同通路７６の前端の通路端壁７７と防眩体７５で挟まれる内隅部分に、乾燥風を後向きに反転案内する後反転案内面７８を形成するようにした。このように、防眩体７５と通路端壁７７の間の内隅部分に後反転案内面７８が形成されていると、第２通気口４２を通過した後の乾燥風を後反転案内面７８で通気通路７６の後開口へ向かって円滑に反転案内することができる。従って、通気通路７６における乾燥風の流れを整然とした流れにして、発光体２８とリフレクタ２９を冷却した後の乾燥風の一部が第２通気口４２や通気通路７６で滞留することを解消できる。
【００８８】
加えて、防眩体７５の後端部に、通気通路７６から流出する乾燥空気を前向きに反転案内する前反転案内面７９を形成したので、通気通路７６から流出した乾燥空気を防眩体７５の外面側へ向かって円滑に反転案内して、導風路９を流動する乾燥風に合流させることができる。
【００８９】
実施例１では、前リフレクタ３７と後リフレクタ３８を接合してリフレクタ２９を構成し、前リフレクタ３７と後リフレクタ３８の接合面に、互いに凹凸係合して接合相手のずれ動きを規制する前係合部５１と後係合部５４を形成するようにした。こうしたリフレクタ２９によれば、前係合部５１と後係合部５４を互いに凹凸係合させることにより、接合相手のずれ動きを規制し位置決めした状態で、前リフレクタ３７と後リフレクタ３８を適正に組むことができる。
【００９０】
また、前係合部５１と後係合部５４のいずれか一方に挿通したビス５６を、他方に設けたねじボス５５にねじ込んで、前リフレクタ３７と後リフレクタ３８を分離不能に固定するので、より簡単な締結構造でありながら、前リフレクタ３７と後リフレクタ３８をビス５６で強固に締結固定することができる。従って、リフレクタ２９に設けた反射面３９・４０・４３の光学特性を常に一定にできる。さらに、前リフレクタ３７は一対の半割体３７ａ・３７ｂを接合して構成し、半割体３７ａ・３７ｂの接合面には、後リフレクタ３８の後係合部５４に落ち込み係合する前係合部５１を形成したので、両半割体３７ａ・３７ｂを接合し、前係合部５１と後係合部５４を凹凸係合させた状態で、前係合部５１に挿通したビス５６を後係合部５４のねじボス５５にねじ込むことで、前リフレクタ３７と後リフレクタ３８とを強固に締結固定できる。また、前リフレクタ３７と後リフレクタ３８の形状や構造が様々に変更される場合であっても、半割体３７ａ・３７ｂと後リフレクタ３８の３者を互いに位置決めした状態で適正に一体化できる。前リフレクタ３７は、１個の反射筒で構成してあってもよい。その場合にはアルミニウムなどの金属を素材とするダイキャスト成形品で構成することができる。また、前係合部５１、後係合部５４、ビス５６は、対向２個所にある必要はなく、１個所のみで構成することができる。
【００９１】
（実施例２）  図１２にフィルタ支持構造５９を変更したドライヤーの実施例２を示す。この実施例２においては、押えリング６０を風導筒７の半割体７ａ・７ｂと一体に形成し、半割体７ａ・７ｂの内面に設けたリブ９９で、押えリング６０の半割リング６０ａ・６０ｂを支持するようにした点、前リフレクタ３７の前面開口と押えリング６０の後面との間に、周回状の第２通気口４２を形成するようにした点、およびフィルタ３０と第３グリル２５とが両半割リング６０ａ・６０ｂで挟持固定されている点が実施例１と異なる。他は実施例１と同じであるので、同じ部材に同じ符号を付してその説明を省略する。以下の実施例においても同様とする。
【００９２】
上記のように、第２通気口４２をリフレクタ２９の前部に周回状に形成したドライヤーによれば、第２通気口４２における乾燥風の送出を円滑に行えるので、リフレクタ２９の内部に導入した乾燥風による発光体２８およびリフレクタ２９の冷却を効果的に行うことができる。また、防眩体７５とフィルタ支持構造５９を一対の半割リング６０ａ・６０ｂと一体に形成する分だけ部品点数を少なくしてドライヤーの製造コストを削減できる。吹出口１１に第３グリル２５を設ける必要がないので、吹出口１１の構造を簡素化するできる利点もある。リフレクタ２９とは別体の押えリング６０でフィルタ３０を支持するので、可視光が吹出口１１から放出されるのを確実に減衰しながら、髪乾燥時のユーザーに眩しさを感じさせることのないドライヤーを提供できる。また、リフレクタ２９とフィルタ支持構造５９が独立して支持してあるので、本体ケース１を分解した状態では、発光体２８をソケット３４から抜外すことができ、発光体２８の交換をより少ない手間で簡便に行える。熱源ユニット４を軽量化できる利点もある。
【００９３】
（実施例３）  図１３にフィルタ支持構造５９を変更したドライヤーの実施例３を示す。この実施例３においては、前リフレクタ３７を前リフレクタ体１０１と後リフレクタ体１０２で構成し、さらに前リフレクタ体１０１を半割体１０１ａ・１０１ｂで構成して、フィルタ３０を半割体１０１ａ・１０１ｂで挟持固定するようにした。また、押えリング６０を半割体１０１ａ・１０１ｂと一体に形成して、防眩構造とフィルタ支持構造を一対の半割体１０１ａ・１０１ｂと一体化した。さらに、前リフレクタ体１０１の周面に沿って一定間隔おきに開口した一群の丸穴が、第２通気口４２として機能するようにした。こうしたリフレクタ構造によれば、防眩構造とフィルタ支持構造を一対の半割体１０１ａ・１０１ｂと一体化できるので、フィルタ支持構造５９を簡素化できる。
【００９４】
（実施例４）  図１４に前リフレクタ３７の一部構造を変更したドライヤーの実施例４を示す。この実施例４においては、導風路９の後部に臨む前リフレクタ３７の周面に、前リフレクタ３７の周囲を囲む導風路９の通路断面積を小さくする絞り部（負圧形成構造）１０４が膨出形成されている。詳しくは、前リフレクタ３７の周面を前拡がりテーパー状に形成し、絞り部１０４の前端面１０５の外郭面が防眩体７５の周面を通る仮想外郭面と面一になるようにした。前リフレクタ３７はプラスチック成形品で形成し、その内面に第１反射面３９と第２反射面４０となる反射膜を形成するようにした。反射膜は例えばメッキ処理で形成するとよい。上記のように前リフレクタ３７の周面に絞り部１０４が形成されていると、前リフレクタ３７の周囲を囲む導風路９の通路断面積を徐々に小さくして、前リフレクタ３７の周囲を流れる乾燥風の流速を早くすることができる。また、絞り部１０４の前端の外郭面が防眩体７５の周面を通る仮想外郭面と面一にしたので、前リフレクタ３７の周囲を流れる乾燥風が通気通路７６から第２通気口４２へ流入するのを防止できる。なお、絞り部１０４の外郭面は、防眩体７５の周面を通る仮想外郭面より内側に位置されていてもよい。
【００９５】
（実施例５）  図１５に絞り部１０４の前端構造を変更したドライヤーの実施例５を示す。実施例５においては、実施例４と同様に、前リフレクタ３７の周面に前拡がりテーパー状の絞り部１０４を形成するが、防眩体７５の後端と正対する絞り部１０４の前端面１０５を、本体ケース１の中心軸線Ｐに対して所定角度αだけ後傾させるようにした。このように、絞り部１０４の前端面１０５が後傾されていると、通路端壁７７や防眩体７５の内面で反射した光を、通気通路７６の出口から後向きに放出させて、吹出口１１側へ光が漏れ出るのをさらに確実に防止できる。
【００９６】
（実施例６）  図１６に前リフレクタ３７の一部構造を変更したドライヤーの実施例６を示す。この実施例６では、前リフレクタ３７の周面に負圧形成構造が形成されている。詳しくは、防眩体７５の後端部に設けた前反転案内面７９の周囲に、前反転案内面７９の周囲を囲む導風路９の通路断面積を小さくする絞りリング１１２を配置した。この絞りリング１１２が負圧形成構造１０６を構成する。絞りリング１１２のリング内面には、前側が湾曲する絞り面１０７が設けられており、リング周面が前反転案内面７９の周囲を囲む風導筒７に固定されている。絞りリング１１２は、実施例１の徐放リング８０と同様に多孔セラミック体で形成されており、その多孔部分にはビタミンやコラーゲンなどの美容成分が含浸されている。
【００９７】
上記のように前リフレクタ３７の周面に絞り面１０７が形成されていると、前リフレクタ３７の周囲を囲む導風路９の通路断面積を徐々に小さくして、前リフレクタ３７の周囲を流れる乾燥風の圧力を低下させて流速を早くすることができる。これに伴い、通気通路７６から放出される乾燥風の周囲が、流速の大きな乾燥風の流れで囲まれるので、通気通路７６から前反転案内面７９の周囲に流動した乾燥風を流速の大きな乾燥風により確実に合流させて、円滑に吹出口１１へ向かって送給できる。また、通気通路７６から放出される乾燥風の圧力が、防眩体７５の周囲を流れる乾燥風の圧力より大きいので、防眩体７５の周囲を流れる乾燥風が、通気通路７６からリフレクタ２９の内部へ入り込むのをよく防止できる。構造が簡単な絞りリング１１２で乾燥風を増速できるので、負圧形成構造１０６の構造を簡素化してドライヤーの製造コストを削減できる。さらに、多孔体で形成した絞りリング１１２に美容成分を含浸保持させると、導風路９を流れる間に絞りリング１１２と接触した乾燥風にコラーゲンやビタミンなどの美容成分を放出して、美容成分を含む乾燥風を吹出口１１から送給できる。また、吹出口１１から送給された美容成分を含む乾燥風は、髪や頭皮に付着するので、髪の乾燥に併行して美容効果を発揮できるドライヤーを提供できる。
【００９８】
（実施例７）  図１７に前リフレクタ３７の一部構造を変更したドライヤーの実施例７を示す。この実施例７においても前リフレクタ３７の周面に負圧形成構造が形成されている。詳しくは、前リフレクタ３７と風導筒７の間に内筒１０９および外筒１１０を備えたベンチュリー筒１０８を配置して、内筒１０９と外筒１１０の間には、前すぼまりリング状の絞り通路１１１が形成されている。内筒１０９は前拡がり湾曲筒からなり、外筒１１０は前すぼまりテーパー筒からなり、両筒１０９・１１０は、第１反射面３９と第２反射面４０のくびれ部から、防眩体７５の後部寄りにわたって設けられている。図示していないが、内筒１０９と外筒１１０は複数個の放射状のリブで繋がっている。このように、前リフレクタ３７の周囲にベンチュリー筒１０８が配置されていると、絞り通路１１１を通過する乾燥風の速度を格段に高めることができる。また、通気通路７６から前反転案内面７９を経由して、防眩体７５の外へ流動した乾燥風を、ベンチュリー筒１０８から出た流速の早い乾燥風の吸引作用で合流させることができるので、リフレクタ３７の内部における乾燥風の流動を促進して、乾燥風によるハロゲンランプ２８やリフレクタ２９の冷却を効果的に行うことができる。
【００９９】
（実施例８）  図１８にドライヤーの実施例８を示す。この実施例８のドライヤーでは、リフレクタ２９の内部における乾燥風の通過形態を、実施例１の乾燥風の通過形態とは逆向きにしている。詳しくは、送風ファン３から送給された乾燥風は、第２通気口４２からリフレクタ２９の内部に導入されて第１通気口４８から送出され、導風壁４６に開口した通気出口１１４からリフレクタ２９の外へ送出される。送風ファン３から送給された乾燥風を、第２通気口４２へ効果的に導入するために、防眩体７５が集風用の導風体１１５を兼ねている。導風体１１５は、通気通路７６の後端縁より後側へ大きく突設されて、前すぼまり状の湾曲壁として形成されており、リフレクタ２９の周囲を流動する乾燥風を第２通気口４２に向かって反転案内する。
【０１００】
第１通気口４８の後外面には、邪魔板１１６が配置されている。邪魔板１１６は、第１通気口４８の直径より大径のリング状に形成されて、導風壁４６の内面に突設した複数の放射壁で支持されており、その内面はハロゲンランプ２８の後部周面に臨んでいる。導風壁４６は、後リフレクタ３８と別体の独立部品で構成してある。このように邪魔板１１６を設けることにより、送風ファン３から送給されて導風壁４６の内部を流れる乾燥風が、第１通気口４８からリフレクタ２９の内部に流入するのを防止することができる。従って、リフレクタ２９の内部を第２通気口４２から第１通気口４８へ向かって流動する乾燥風の流れを円滑で好適なものとして、発光体２８およびリフレクタ２９の冷却をさらに効果的に行うことができる。この実施例から理解できるように、乾燥風はリフレクタ２９の内部を後向きに流動する通過形態を採ることができる。
【０１０１】
こうした、ドライヤーによれば、導風路９を吹出口１１へ向かって流動する乾燥風の一部を、導風体１１５で反転案内し第２通気口４２からリフレクタ２９の内部に導入して、発光体２８とリフレクタ２９を冷却したのち第１通気口４８から送出することができる。このとき、リフレクタ２９の周囲に張り出された導風体１１５で乾燥風を受止めて反転案内するので、リフレクタ２９の内部により多くの乾燥風を導入して、発光体２８およびリフレクタ２９を効果的に冷却することができる。
【０１０２】
上記の各実施例で説明したヘアードライヤーは、以下に示す光照射装置の形態で実施することができる。光照射装置としては、光を患部に照射する光治療器や、乾燥対象に光を照射して乾燥を促す光乾燥装置などを挙げることができる。
【０１０３】
発光体２８と、発光体２８から照射された光を照射対象に向かって反射案内するリフレクタ２９を備えている光照射装置であり、リフレクタ２９の前部には照射開口が設けられており、リフレクタ２９は、発光体２８から照射された光を照射開口へ向かって前向きに反射案内する第１反射面３９と、第１反射面３９に隣接配置されて、発光体２８から照射された光を後向きに反射案内する第２反射面４０と、第２反射面４０に隣接配置されて、発光体２８から照射された光および第２反射面４０で反射案内された光を、照射開口へ向かって前向きに反射案内する第３反射面４３が設けられており、発光体２８の発光部３６が、第２反射面４０と第３反射面４３の隣接部分に臨ませてある光照射装置。
上記の光照射装置によれば、発光体２８から照射されて各反射面３９・４０・４３に到達した光を、各反射面３９・４０・４３で効率良く反射案内してフィルタ３０に照射することができる。また、前後に長い発光体２８の発光部３６を、第２反射面４０と第３反射面４３の隣接部分に臨ませているので、リフレクタ２９の径方向寸法が大きくなるのを防止してコンパクト化を実現しながら、発光体２８から照射された光をフィルタ３０に向かって照射することができる。これは、発光体２８から照射された光を、例えば１個の反射面のみで反射案内する場合には、リフレクタ２９の照射開口の直径寸法が大きくなってしまい、その分だけリフレクタ２９が大形になるからである。
【０１０４】
第１反射面３９と、第２反射面４０と、第３反射面４３を備えたリフレクタ２９の前後寸法が、リフレクタ２９の径方向寸法より大きく設定されている光照射装置。
こうしたリフレクタ２９によれば、前後に長い発光体２８を使用するのに適した細長い筒構造のリフレクタ２９を構成することができ、リフレクタ２９の径方向寸法が小さい分だけ光照射装置をコンパクト化できる。
【０１０５】
リフレクタ２９の前部の照射開口にフィルタ３０が配置されている光照射装置。
こうした光照射装置によれば、減衰されていない可視光が照射開口から放出されるのを確実に防止できるので、使用時のユーザーに眩しさを感じさせることのない光照射装置を提供できる。
【０１０６】
リフレクタ２９が前リフレクタ３７と後リフレクタ３８を接合して構成されており、フィルタ３０が前リフレクタ３７の前部に配置されて、フィルタ支持構造５９で前リフレクタ３７に固定されており、フィルタ支持構造５９は、前リフレクタ３７の前端内面に形成したフィルタ受座４１と、前リフレクタ３７の前部周面に外嵌固定されて、フィルタ受座４１と協同してフィルタ３０を挟持固定する押えリング６０を備えている光照射装置。
こうした光照射装置によれば、フィルタ３０をフィルタ受座４１に組み、押えリング６０を前リフレクタ３７の前部周面に外嵌し固定することで、フィルタ３０を前リフレクタ３７に簡単に組付けて、分離不能にしっかりと固定することができる。
【０１０７】
リフレクタ２９は前リフレクタ３７と後リフレクタ３８を接合して構成されている。前リフレクタ３７と後リフレクタ３８の接合面に、互いに凹凸係合して接合相手のずれ動きを規制する前係合部５１と後係合部５４が形成されている光照射装置。
こうした光照射装置によれば、前係合部５１と後係合部５４を互いに凹凸係合させることにより、接合相手のずれ動きを規制し位置決めした状態で、前リフレクタ３７と後リフレクタ３８を適正に組むことができる。
【０１０８】
前係合部５１と後係合部５４のいずれか一方に挿通したビス５６を、他方に設けたねじボス５５にねじ込んで、前リフレクタ３７と後リフレクタ３８が分離不能に固定してある光照射装置。
こうした光照射装置によれば、より簡単な締結構造でありながら、前リフレクタ３７と後リフレクタ３８をビス５６で強固に締結固定することができる。従って、リフレクタ２９に設けた反射面３９・４０・４３の光学特性を常に一定にできる。
【０１０９】
前リフレクタ３７は、分割形成された一対の半割体３７ａ・３７ｂを接合して構成されており、後リフレクタ３８の接合面には、前リフレクタ３７の後縁を嵌合支持する接合溝５２と、前リフレクタ３７の後縁周面を支持する接合壁５３が形成されており、接合壁５３の複数個所には、接合壁５３を切欠いて形成される凹状の後係合部５４とねじボス５５が形成されており、半割体３７ａ・３７ｂの接合面の複数個所には、後係合部５４に落ち込み係合する突起からなる前係合部５１が形成されており、一対の半割体３７ａ・３７ｂを接合し、前係合部５１と後係合部５４を凹凸係合させた状態で、前係合部５１に挿通したビス５６を後係合部５４のねじボス５５にねじ込んで、前リフレクタ３７と後リフレクタ３８が一体化してある光照射装置。
【０１１０】
こうした光照射装置によれば、一対の半割体３７ａ・３７ｂを接合し、前係合部５１と後係合部５４を凹凸係合させた状態で、前係合部５１に挿通したビス５６を後係合部５４のねじボス５５にねじ込むことにより、前リフレクタ３７と後リフレクタ３８を強固に締結固定できる。また、前リフレクタ３７と後リフレクタ３８の形状や構造が様々に変更される場合であっても、半割体３７ａ・３７ｂと後リフレクタ３８の３者を互いに位置決めした状態で適正に一体化できる。
【０１１１】
上記以外に、発光体２８はハロゲンランプ以外に、白熱ランプ、キセノンランプ、メタルハライドランプなどであってもよい。本発明において、「可視光の透過を阻むフィルタ」とは、可視光を完全に遮ることを意味するものではなく、可視光を減衰する意味と同義である。もちろん、可視光を完全に遮って熱線（赤外光）のみを照射できるフィルタであってもよい。第２通気口４２が、周方向長さが小さなスリットの一群で断続的に構成してある場合には、防眩体７５を筒状に形成する必要はなく、各スリットの外面を覆う一群の防眩壁で構成してあってもよい。
【０１１２】
空気の吸込口１０は、上記の各実施例のように本体ケース１の後端背面に形成される形態に加え、本体ケース１の後端背面は塞がれ同ケース１の後端周側面に形成される形態であってもよい。本発明に係る導風路９の一端（後端）に設けられる吸込口１０とは、これら形態を含む意味である。本体ケース１の後端周側面に吸込口１０を設けた場合には、送風ファン３は、プロペラ型ないしインペラ型の軸流ファン、求心ファンなどで構成する。リフレクタ２９の形状は、乾燥対象への赤外光の放射態様により適宜変更することができる。
本発明に係るドライヤーは、毛髪を乾燥対象とするヘアードライヤーに限らず、手足、爪などの身体部位、あるいは人用に限らず犬や猫など動物用のドライヤーにも適用でき、また、衣類用の衣類乾燥器にも適用できる。さらに、本発明のドライヤーは、乾燥対象に対して光を照射する機器であれば、例えば、毛髪を乾燥しながらカール状、あるいはストレート状に整形することができる、ドライヤーの機能を備えたヘアーアイロンにも適用できる。
【符号の説明】
【０１１３】
１  本体ケース
２  ファンモータ
３  送風ファン
４  熱源ユニット
７  風導筒
８  外装筒
９  導風路
１０  吸込口
１１  吹出口
２８  ハロゲンランプ（発光体）
２９  リフレクタ
３０  フィルタ
３２  ハウジング
３３  プラグ
３４  ソケット
３７  前リフレクタ
３７ａ  半割体
３７ｂ  半割体
３８  後リフレクタ
３９  第１反射面
４０  第２反射面
４１  フィルタ受座
４２  第２通気口
４３  第３反射面
４５  光源台
４６  導風壁
４７  ビス
４８  第１通気口
５１  前係合部
５２  接合溝
５３  接合壁
５４  後係合部
５５  ねじボス
５６  ビス
５９  フィルタ支持構造
６０  押えリング
６２  周回壁
６５  衝撃吸収ばね
７５  防眩体
７６  通気通路
７７  通路端壁
７８  後反転案内面
７９  前反転案内面
１０４  絞り部
１０５  絞り部の前端面
１０６  負圧形成構造
１０７  絞り面
１０８  ベンチュリー筒
１０９  内筒
１１０  外筒
１１１  絞り通路
１１２  絞りリング
１１５  導風体
１１６  邪魔板
Ｐ  本体ケースの中心軸
【図１】
2020054495.tif 000003
【図２】
2020054495.tif 000004
【図３】
2020054495.tif 000005
【図４】
2020054495.tif 000006
【図５】
2020054495.tif 000007
【図６】
2020054495.tif 000008
【図７】
2020054495.tif 000009
【図８】
2020054495.tif 000010
【図９】
2020054495.tif 000011
【図１０】
2020054495.tif 000012
【図１１】
2020054495.tif 000013
【図１２】
2020054495.tif 000014
【図１３】
2020054495.tif 000015
【図１４】
2020054495.tif 000016
【図１５】
2020054495.tif 000017
【図１６】
2020054495.tif 000018
【図１７】
2020054495.tif 000019
【図１８】
2020054495.tif 000020